(57)【要約】【課題】  後方に向けて排気を行うことに因る不具合を解消できるサイクロン式のアップライト型電気掃除機を提供すること。【解決手段】  吸込口を有する吸込部２と、吸込部２から上方に延びている本体部３と、からなり、本体部３が、下部の集塵部４と、中央本体部５と、上部の柄部６と、により構成されている、サイクロン式のアップライト型電気掃除機１において、中央本体部５の前部に、電池収納用の凹部と、収納された電池と、該凹部を塞ぐカバー８２と、を有し、凹部内壁に排気口を有しており、排気口から放出される排気が、凹部に収納した電池と凹部内壁との間に形成された隙間を通って、カバー８２の両側の縁部８２１と凹部開口の両側の縁部８１０との間に形成された隙間１０２から、横方向に放出されるようになっている。【選択図】図１
2006095210.tif 000002
【特許請求の範囲】
【請求項１】
吸込口を有する吸込部と、吸込部から上方に延びている本体部と、からなり、
本体部が、下部の集塵部と、中央本体部と、上部の柄部と、により構成されている、アップライト型電気掃除機において、
中央本体部の前部又は後部に、電池収納用の凹部と、収納された電池と、該凹部を塞ぐカバーと、を有し、
凹部内壁に排気口を有しており、
排気口から放出される排気が、凹部内の電池と凹部内壁との間に形成された隙間を通って、カバーの側縁と凹部開口の側縁との間に形成された隙間から、横方向に放出されるようになっていることを特徴とするアップライト型電気掃除機。
【請求項２】
凹部内壁の、側壁、頂壁、及び底壁の全てに、排気口が形成されている、請求項１記載のアップライト型電気掃除機。
【請求項３】
カバーが透明である、請求項１記載のアップライト型電気掃除機。
【請求項４】
電池が、電池本体と、該本体を収納し又は包み込む外装体と、からなっており、
外装体が、排気を外装体内部の電池本体に接触させるための貫通部を有している、請求項１記載のアップライト型電気掃除機。
【請求項５】
電池が、電池本体と、該本体を収納し又は包み込む外装体と、からなっており、
外装体が、熱伝導性材料で構成されている、請求項１記載のアップライト型電気掃除機。
【請求項６】
電池に、電池を少なくとも側面から貫通する排気通路が形成されている、請求項１記載のアップライト型電気掃除機。
【請求項７】
電池とカバーとが一体物である、請求項１記載のアップライト型電気掃除機。
【発明の詳細な説明】
【技術分野】
【０００１】
本発明は、アップライト型電気掃除機に関するものである。
【背景技術】
【０００２】
従来のアップライト型電気掃除機としては、例えば、特許文献１、２、３に示されるものがある。特許文献１、２の掃除機では、排気を後部に設けた排気口から後方に向けて放出している。また、特許文献３の掃除機では、排気を前部に設けた排気口から前方に向けて放出している。
【特許文献１】特開２００２−２０９８１４号公報
【特許文献２】特開２００３−２６５３８２号公報
【特許文献３】特開２００３−７０７０６号公報
【発明の開示】
【発明が解決しようとする課題】
【０００３】
特許文献１、２の掃除機では、後部の排気口から後方に向けて排気を放出しているので、次のような不具合があった。
（１）排気が掃除機の後に立っている使用者に当たるため、使用者が、排気風の強さや排気の臭いによって、不快感を抱く。
（２）排気が、掃除機後方の床面に当たって床面上の塵埃を舞い上がらせてしまい、掃除の妨げとなってしまう。
【０００４】
特許文献３の掃除機では、前部の排気口から前方に向けて排気を放出しているので、次のような不具合があった。
（３）排気が掃除機から斜め上方に向けて放出されることとなるため、排気の臭いによって、使用者が不快感を抱く。
【０００５】
本発明は、上記不具合を解消できるアップライト型電気掃除機を提供することを目的とする。
【課題を解決するための手段】
【０００６】
請求項１記載の発明は、吸込口を有する吸込部と、吸込部から上方に延びている本体部と、からなり、本体部が、下部の集塵部と、中央本体部と、上部の柄部と、により構成されている、アップライト型電気掃除機において、中央本体部の前部又は後部に、電池収納用の凹部と、収納された電池と、該凹部を塞ぐカバーと、を有し、凹部内壁に排気口を有しており、排気口から放出される排気が、凹部内の電池と凹部内壁との間に形成された隙間を通って、カバーの側縁と凹部開口の側縁との間に形成された隙間から、横方向に放出されるようになっていることを特徴としている。
【０００７】
請求項２記載の発明は、請求項１記載の発明において、凹部内壁の、側壁、頂壁、及び底壁の全てに、排気口が形成されているものである。
【０００８】
請求項３記載の発明は、請求項１記載の発明において、カバーが透明であるものである。
【０００９】
請求項４記載の発明は、請求項１記載の発明において、電池が、電池本体と、該本体を収納し又は包み込む外装体と、からなっており、外装体が、排気を外装体内部の電池本体に接触させるための貫通部を有しているものである。
【００１０】
請求項５記載の発明は、請求項１記載の発明において、電池が、電池本体と、該本体を収納し又は包み込む外装体と、からなっており、外装体が、熱伝導性材料で構成されているものである。
【００１１】
請求項６記載の発明は、請求項１記載の発明において、電池に、電池を少なくとも側面から貫通する排気通路が形成されているものである。
【００１２】
請求項７記載の発明は、請求項１記載の発明において、電池とカバーとが一体物であるものである。
【発明の効果】
【００１３】
請求項１記載の発明によれば、排気を横方向に放出できるので、次のような効果を奏する。
（１）掃除機の後に立っている使用者に排気が直接当たるのを防止できる。したがって、排気風の強さや排気の臭いによって使用者が不快感を抱くのを防止できる。
（２）排気が掃除機後方の床面に当たって床面上の塵埃を舞い上がらせてしまうのを、防止できる。したがって、排気が掃除の妨げとなるのを防止できる。
【００１４】
更に、排気が電池の側面に接触しながら隙間を通るので、排気によって電池の放熱を促進できる。
【００１５】
請求項２記載の発明によれば、電池の頂面や底面にも排気を接触させることができ、したがって、電池の放熱を効果的に行うことができる。
【００１６】
請求項３記載の発明によれば、電池の正面に表示している寿命指示マークなどを、カバーを取り外すことなく、認識できる。
【００１７】
請求項４記載の発明によれば、排気が電池本体に直接に接触して流れるので、電池の放熱を効果的に行うことができる。
【００１８】
請求項５記載の発明によれば、排気と外装体との間の熱交換効率を向上でき、したがって、電池の放熱を効果的に行うことができる。
【００１９】
請求項６記載の発明によれば、排気を、電池を貫通させて流すことができるので、排気が電池内部に直接に接触して流れることとなり、したがって、電池の放熱をより効果的に行うことができる。
【００２０】
請求項７記載の発明によれば、カバーの取り外しと同時に電池を取り出すことができるので、電池交換の作業性を向上できる。
【発明を実施するための最良の形態】
【００２１】
（実施形態１）
図１は本発明のアップライト型電気掃除機を示す斜視図である。この掃除機１は、サイクロン式のものであり、吸込部２と本体部３とからなっている。本体部３は、吸込部２から上方に延びており、下部のサイクロン式集塵部４と、中央本体部５と、上部の柄部６と、により構成されている。なお、本体部３は、本体部３から下方に延びた支持部７によって、吸込部２に連結されており、吸込部２に対して前後方向に揺動可能となっている。
【００２２】
図２は掃除機１の縦断面部分図であり、中央本体部５から下の部分を示している。この掃除機１は、次のように作動して集塵を行うようになっている。すなわち、サイクロン式集塵部４に内蔵されているモーター４１を作動させると、吸込ファン４２が回転し、それによって、ファン４２を下から上に向かう吸引力が生じる。該吸引力により、吸込部２の吸込口２１から、床面の塵埃が、空気と共に吸い込まれて、吸込部２内及び支持部７内を通って、集塵容器４３内へ至る。容器４３内へ至った塵埃を含む空気は、渦流発生部材４４側面の導風部４５に導かれて、容器４３の内周面に沿って渦流となり、螺旋状に下降していく。このとき、渦流に含まれている塵埃は、遠心力によって、容器４３の内周面に押し付けられることになる。容器４３の底部に至った渦流は、容器４３の中央で上昇に転じる。このとき、比較的重い塵埃は、容器４３の内周面付近に留まることとなり、渦流から分離される。上昇に転じた渦流は、渦流発生部材４４及びファン４２を通過する。このとき、渦流に含まれる比較的軽い又は細かい塵埃は、渦流発生部材４４に設けたフィルタ４４１、４４２などによって、捕集される。そして、ファン４２を通過した空気は、ファン４２の上方空間すなわち中央本体部５の内部空間へ至る。このようにして、塵埃が容器４３内に捕集される。
【００２３】
ところで、本発明の掃除機１では、図３に示すように、中央本体部５の前部に、電池収納用の凹部８１と、凹部８１を塞ぐカバー８２と、を設け、凹部８１内に電池９を収納している。なお、中央本体部５は、前半部５１と後半部５２とに分割可能となっており、図３は、前半部５１の分解斜視図である。また、図４は図２のIV−IV断面図である。
【００２４】
図３に示すように、前半部５１において、凹部８１は、外壁５１１から後方に向けて凹んで形成されている。凹部８１の開口８１１は、正面視略矩形を有している。凹部８１の内部空間は、略直方体である。凹部８１の内壁は、３つの側壁８１２（図４）と、１つの頂壁８１３（図２）と、１つの底壁８１４（図２）と、からなっている。図４に示すように、３つの内の中央の側壁８１２の中央部及び側壁８１２の２つの角部には、多数の貫通スリット８１５が上下方向に並設されている。一方、３つの側壁８１２の内面において、上部面８１６及び下部面８１７は、中間部面８１８に比して、凹部８１の内部に向けて少し突出している。ここでは、突出量をｔで示す。なお、スリット８１５は、中間部面８１８に形成されている。すなわち、凹部８１において、中間部面８１８は、上部面８１６及び下部面８１７よりも少し奥に位置している。したがって、凹部８１に電池９を収納すると、図４に示すように、電池９の外周面が上部面８１６及び下部面８１７に当接するため、電池９と中間部面８１８との間には隙間１０１が構成される。この隙間１０１の幅は上記突出量ｔである。なお、電池９は、図４に示すように、電池本体９１と、それを収納するケース（外装体）９２と、で構成されている。
【００２５】
凹部８１の３つの側壁８１２の裏面は、板状のスポンジからなるフィルタ１０によって覆われている。
【００２６】
カバー８２は、プラスチック製の透明体である。カバー８２は、図４に示すように、横断面湾曲形状を有しており、凹部８１を塞ぐと、中央本体部５の前半部５１の前面と同一面を構成するようになっている。また、カバー８２の両側の縁部８２１は、凹部８１の開口８１１の両側の縁部８１０との間に隙間１０２を形成するよう、凹んでいる。隙間１０２は、縁部８２１の真横に延びた端面８２１１と縁部８１０の真横に延びた端面８１０１とが対向することによって、構成されており、したがって、真横に開いている。すなわち、隙間１０２は、図１に示すように、縁部８２１と縁部８１０とに挟まれた状態で横方向に開いている。
【００２７】
上記構成の掃除機１においては、ファン４２を通過して中央本体部５の内部空間へ至った空気は、図２及び図４に示すように、凹部８１の裏側から、フィルタ１０及びスリット８１５を通過し、隙間１０１を通り、そして、隙間１０２を通って、横方向に放出される。すなわち、排気が横方向に放出される。
【００２８】
したがって、上記構成の掃除機１によれば、排気を横方向に放出できるので、次のような効果を奏する。
（１）掃除機の後に立っている使用者に排気が直接当たるのを防止できる。したがって、排気風の強さや排気の臭いによって使用者が不快感を抱くのを防止できる。
（２）排気が掃除機後方の床面に当たって床面上の塵埃を舞い上がらせてしまうのを、防止できる。したがって、排気が掃除の妨げとなるのを防止できる。
【００２９】
また、上記構成の掃除機１によれば、排気が電池９の側面に接触しながら隙間１０１を通るので、排気によって電池９の放熱を促進できる。
【００３０】
更に、カバー８２が透明であるので、電池９の正面に表示している寿命指示マークなどを、カバー８２を取り外すことなく、認識できる。
【００３１】
（実施形態２）
図５は実施形態２のアップライト型電気掃除機の縦断面部分図である。
実施形態１はサイクロン式のアップライト型電気掃除機に関するものであるが、実施形態２は紙パック式のアップライト型電気掃除機に関するものである。紙パック式であっても、実施形態１と同様な排気構造を設けて、同様な効果を発揮することができる。
しかも、実施形態１では中央本体部５の前部に凹部８１を設けているが、実施形態２では後部に凹部８１を設けている。凹部８１を後部に設けた場合でも、実施形態１と同様な排気構造を設けて、同様な効果を発揮することができる。
【００３２】
紙パック式のアップライト型電気掃除機は、次のように作動する。すなわち、モーター４１を作動させると、吸込ファン４２が回転し、それによって、ファン４２を下から上に向かう吸引力が生じる。該吸引力により、吸込部２の吸込口２１から、床面の塵埃が、空気と共に吸い込まれて、吸込部２内及び支持部７内を通って、紙パック４６内へ至り、紙パック４６を通過する。このとき、塵埃は、紙パック４６に捕集される。紙パック４６を通過した空気は、ファン４２の上方空間すなわち中央本体部５の内部空間へ至
る。その後の排気は、実施形態１と同じである。
【００３３】
（実施形態３）
図６は実施形態３のサイクロン式のアップライト型電気掃除機の側面図である。実施形態３の掃除機１は、実施形態１に比して、凹部８１を中央本体部５の後部に設けた点のみが異なっている。この掃除機１においても、排気を横方向に放出できるので、実施形態１と同様の効果を発揮できる。なお、図６では、掃除機１が載置台１０上に載置されている。
【００３４】
（別の実施形態）
本発明では、更に、次のような構成を採用できる。これらの構成は、単独で採用してもよく、又は任意に複数組み合わせて採用してもよい。
【００３５】
（ａ）凹部８１の頂壁８１３や底壁８１４にも、スリット８１５を形成するとともに、電池９との間に隙間を形成するための突出部を形成する。この構成においては、排気が、頂壁８１３や底壁８１４からも凹部８１内に入り、電池９との隙間を通って隙間１０２から放出される。この構成によれば、電池９の頂面や底面にも排気が接触するので、電池９の放熱を効果的に行うことができる。
【００３６】
（ｂ）電池９のケース９２に、排気をケース９２内部の電池本体９に接触させるための貫通部を形成する。この構成によれば、排気が電池本体９１に直接に接触して流れるので、電池９の放熱を効果的に行うことができる。
【００３７】
（ｃ）電池９のケース９２を熱伝導性材料で構成する。この構成によれば、排気とケース９２との間の熱交換効率が向上するので、電池９の放熱を効果的に行うことができる。
【００３８】
（ｄ）電池９に、電池９を少なくとも側面から貫通する排気通路９３を形成する。排気通路９３の例を、参考として、図４に一点鎖線で示している。この構成によれば、排気が電池９を通り抜けるので、排気と電池本体９１との熱交換効率を向上でき、したがって、電池９の放熱をより効果的に行うことができる。
【００３９】
（ｅ）電池として、シュリンクパック式のものを用いる。シュリンクパック式の電池は、電池本体９１をシート状部材（外装体）で包み込んだものである。このシュリンクパック式電池においても、シート状部材に対して、上記（ｂ）及び（ｃ）のケース９２の構成を採用でき、上記（ｂ）及び（ｃ）と同様な効果を発揮させることができる。また、このシュリンクパック式電池に対しても、上記（ｄ）と同様に排気通路を形成でき、上記（ｄ）と同様な効果を発揮させることができる。
【００４０】
（ｆ）図７に示すように、カバー８２の裏面に電池９を固着して、両者を一体物として用いる。この構成によれば、カバー８２の取り外しと同時に電池９を取り出すことができるので、電池交換の作業性を向上できる。なお、凹部８１への電池９の着脱は、後述するワンタッチ着脱機構によって行ってもよく、又は、図７に示すように、貫通ボルト８８を用いて行ってもよい。
【００４１】
（ｇ）ワンタッチ着脱機構により、電池９を凹部８１に対してワンタッチで着脱させる。ワンタッチ着脱機構は、図３及び図８に示すような舌片８５と穴部９２１１とで構成されている。舌片８５は、凹部８１の頂壁８１３の中央部に形成された弾性変形可能な片部８５１と、片部８５１の下面に形成された突部８５２とからなっている。穴部９２１１は、電池９のケース９２の頂面９２１において舌片８５の突部８５１が嵌入するよう形成されている。
【００４２】
図８に示すように、電池９を凹部８１内に挿入していくと、頂面９２１によって片部８５１が上に押しやられ、そのまま挿入していくと、突部８５１が穴部９２１１に嵌入する。これにより、電池９が凹部８１内に取り付けられたこととなる。電池９を凹部８１内から取り外す場合には、舌片８５の先端に設けられた押し部８５３を上にずらすように押す。これにより、突部８５１が穴部９２１１から外れるので、凹部８１を開口８１１側に傾ければ、電池９を凹部８１から取り出すことができる。すなわち、ワンタッチ着脱機構により、電池９を凹部８１に対してワンタッチで着脱できる。
【産業上の利用可能性】
【００４３】
本発明は、前方や後方に向けて排気を行うアップライト型電気掃除機における不具合を解消できるので、産業上の利用価値が大である。
【図面の簡単な説明】
【００４４】
【図１】実施形態１のサイクロン式のアップライト型電気掃除機の斜視図である。
【図２】実施形態１の掃除機の縦断面部分図である。
【図３】実施形態１の掃除機の中央本体部の前半部の分解斜視図である。
【図４】図２のIV−IV断面図である。
【図５】実施形態２の紙パック式のアップライト型電気掃除機の縦断面部分図である。
【図６】実施形態３のサイクロン式のアップライト型電気掃除機の側面図である。
【図７】カバーと電池とが一体物である例を示す斜視図である。
【図８】ワンタッチ着脱機構を示す、図３のVIII−VIII断面に相当する図である。
【符号の説明】
【００４５】
１  掃除機  ２  吸込部  ２１  吸込口  ３  本体部  ４  サイクロン式集塵部  ５  中央本体部  ６  柄部  ８１  凹部  ８１０  縁部（側縁）  ８１１  開口  ８１２  側壁  ８１３  頂壁  ８１４  底壁  ８２  カバー  ８２１  縁部（側縁）  ９  電池  ９１  電池本体  ９２  ケース（外装体）  ９３  排気通路  １０１、１０２  隙間
【図１】
2006095210.tif 000003
【図２】
2006095210.tif 000004
【図３】
2006095210.tif 000005
【図４】
2006095210.tif 000006
【図５】
2006095210.tif 000007
【図６】
2006095210.tif 000008
【図７】
2006095210.tif 000009
【図８】
2006095210.tif 000010